(57)【要約】【課題】データを送信する局側装置からの情報により、使わないＦＥＣ（誤り訂正符号）デコーダを停止することとして、受信側の消費電力の低減させる。【解決手段】局側装置ＯＬＴは、宅側装置ＯＮＵに対して、当該宅側装置ＯＮＵが動作させる誤り訂正符号デコーダＤ０，Ｄ１を指定する情報を当該宅側装置ＯＮＵに送信し、宅側装置ＯＮＵは、指定された誤り訂正符号デコーダＤ０，Ｄ１を動作させ、局側装置ＯＬＴは、宅側装置ＯＮＵに対して、当該前記宅側装置ＯＮＵが動作させているＦＥＣデコーダＤ０，Ｄ１に対応する時間スロットの誤り訂正符号付きフレームＣＷ０，ＣＷ１にデータを載せて送信する。【選択図】図８
2011015278.tif 000002
【特許請求の範囲】
【請求項１】
局側装置と宅側装置との間で通信を行う通信システムであって、
前記局側装置は、複数の誤り訂正符号付きフレームを時間スロットごとに分割して前記宅側装置に送信する送信手段を備え、
前記宅側装置は、誤り訂正符号デコーダを動作させる時間スロットを設定する時間スロット設定手段を備え、
前記局側装置の送信手段は、前記宅側装置に対して、当該前記宅側装置が誤り訂正符号デコーダを動作させている時間スロットに対応する誤り訂正符号付きフレームにデータを載せて送信する、通信システム。
【請求項２】
前記宅側装置が動作させる誤り訂正符号デコーダの物理的な位置が固定されている請求項１記載の通信システム。
【請求項３】
記宅側装置が動作させる誤り訂正符号デコーダの物理的な位置が固定されていないで、前記時間スロットの所定周期の何番目かで設定される請求項１記載の通信システム。
【請求項４】
前記時間スロット設定手段は、前記送信されてくる複数の誤り訂正符号付きフレームを前記時間スロットごとに振り分ける切換え手段と、振り分けられた各誤り訂正符号付きフレームに対して動作可能な複数の誤り訂正符号デコーダと、前記各誤り訂正符号デコーダに対して、誤り訂正動作を行わせるか、誤り訂正の動作を止めるかを設定することができるデコード制御手段とを備える、請求項１から請求項３のいずれか１項に記載の通信システム。
【請求項５】
前記宅側装置は、前記局側装置から送信される通信内容若しくはデータ伝送速度に応じて、当該宅側装置が動作させる誤り訂正符号デコーダを設定する請求項１から請求項４のいずれか１項に記載の通信システム。
【請求項６】
前記局側装置は、前記宅側装置に備えられている前記誤り訂正符号デコーダの数ｍを記憶する記憶手段をさらに備え、
前記局側装置と前記宅側装置との通信の確立前に、前記宅側装置は一部の所定の誤り訂正符号デコーダを動作させ、前記局側装置は、前記宅側装置との通信を確立するためのデータを含む誤り訂正符号付きフレームを、１番目の時間スロットからｍ番目までの時間スロットまで送信し、前記宅側装置から応答のあった時間スロットを用いて通信を行うものである請求項１又は請求項２記載の通信システム。
【請求項７】
前記宅側装置は前記通信システムに複数存在し、
前記宅側装置が動作させる誤り訂正符号デコーダの、局側装置から見たスロットの位置は、前記宅側装置ごとに統一されていないで分散している請求項６記載の通信システム。
【請求項８】
前記局側装置と前記宅側装置との通信の確立前に、前記宅側装置は前記時間スロットの所定周期に含まれる一部の誤り訂正符号デコーダを動作させ、前記局側装置は、前記宅側装置との通信を確立するためのデータを含む誤り訂正符号付きフレームを、前記所定周期の中の１番目の時間スロットからＬ番目までの時間スロットにわたって送信し、前記宅側装置から応答のあった時間スロットを用いて通信を行うものである請求項３記載の通信システム。
【請求項９】
宅側装置との通信に用いられ、複数の誤り訂正符号付きフレームを時間スロットごとに分割して前記宅側装置に送信する局側装置であって、
前記宅側装置に対して、当該前記宅側装置が動作させている誤り訂正符号デコーダに対応する時間スロットの誤り訂正符号付きフレームにデータを載せて送信するデータ送信手段とを備える局側装置。
【請求項１０】
局側装置との通信に用いられ、局側装置から送られてくる複数の誤り訂正符号付きフレームを時間スロットごとに分割して受信する宅側装置であって、
誤り訂正符号デコーダを動作させる時間スロットを設定する時間スロット設定手段を備える、宅側装置。
【請求項１１】
前記時間スロット設定手段は、前記送信されてくる複数の誤り訂正符号付きフレームを前記時間スロットごとに振り分ける切換え手段と、振り分けられた各誤り訂正符号付きフレームに対して動作可能な複数の誤り訂正符号デコーダと、前記各誤り訂正符号デコーダに対して、誤り訂正動作を行わせるか、誤り訂正の動作を止めるかを設定することができるデコード制御手段とを備える、請求項１０記載の宅側装置。
【請求項１２】
前記局側装置から送信される通信内容若しくはデータ伝送速度に応じて、当該宅側装置が動作させる誤り訂正符号デコーダを制限する請求項１０又は請求項１１記載の宅側装置。
【請求項１３】
局側装置から、複数の誤り訂正符号付きフレームを時間スロットごとに分割して宅側装置に送信する通信方法であって、
前記宅側装置は、誤り訂正符号デコーダを動作させる時間スロットを設定し、
前記局側装置は、前記宅側装置に対して、当該前記宅側装置が誤り訂正符号デコーダを動作させている時間スロットに対応する誤り訂正符号付きフレームにデータを載せて送信する、通信方法。
【発明の詳細な説明】
【技術分野】
【０００１】
本発明は、局側装置から宅側装置宛に、誤り訂正符号付きフレームを使ってデータの伝送を行うことができる通信システムに関するものである。
【背景技術】
【０００２】
局側装置（Optical Line Terminal：光加入者線端局装置）と、複数の宅側装置（Optical Network Unit：光加入者線終端装置）との間を、光データ通信ネットワークを使って双方向通信する光通信システムが知られている。
この光通信システムでは、局側装置と宅側装置との間で伝送される光信号は、誤り訂正用のパリティが含まれるＦＥＣ(誤り訂正符号；Forward Error Collection)フレームによって構成されている。
【０００３】
宅側装置は、受信された光信号に含まれる誤り訂正用のパリティを用いて、ＦＥＣフレーム単位で、当該ＦＥＣフレームのデータの誤り訂正・復号を行っている。このデータの誤り訂正・復号を行うＦＥＣデコーダを、誤り訂正符号デコーダ（ＦＥＣデコーダともいう）と称する。高速に処理を行うため、宅側装置側ではＦＥＣデコーダを複数個並列にして使用している。
【先行技術文献】
【特許文献】
【０００４】
【特許文献１】特開2007-104571号公報
【発明の概要】
【発明が解決しようとする課題】
【０００５】
しかしＦＥＣデコーダは回路規模が大きいため、消費電力が多い。伝送回線でのデータ伝送速度が通信内容（電話、画像データなど）によってまちまちであるにも係らず、受信側で常に全てのＦＥＣデコーダを動作可能状態にしておくことは消費電力の無駄遣いとなる。
また通信が確立する前は、宅側装置は、短い管理用パケットが処理できればよいのにもかかわらず、全てのＦＥＣデコーダの電源を入れておけば、長時間にわたって電力を無駄に消費してしまう。
【０００６】
そこで本発明は、宅側装置において、誤り訂正に使わないＦＥＣデコーダを停止することで消費電力の低減させることができる通信システム等を提供することを目的とする。
また本発明は、宅側装置と局側装置の協調動作により、アイドリング動作時に消費電力が大きい宅側装置のＦＥＣデコーダをすべて動かすのではなく、一部だけ動かし残りのＦＥＣデコーダを停止させることで、消費電力の低減を図る通信システム等を提供することを目的とする。
【課題を解決するための手段】
【０００７】
（１）本発明の通信システムは、局側装置において、複数の誤り訂正符号付きフレームを時間スロットごとに分割して宅側装置に送信する送信手段を備え、宅側装置において、誤り訂正符号デコーダを動作させる時間スロットを設定する時間スロット設定手段を備え、局側装置は、宅側装置に対して、当該宅側装置が動作させている誤り訂正符号デコーダに対応する時間スロットの誤り訂正符号付きフレームにデータを載せて送信するものである。
【０００８】
この通信システムであれば、宅側装置は時間的に分割されて送られてくる各フレームに対して処理を行う誤り訂正符号デコーダを持つが、必要でない誤り訂正符号デコーダの動作を停止させることができ、宅側装置側での消費電力を抑えることができる。
宅側装置は、当該宅側装置が動作させる誤り訂正符号デコーダの物理的な位置を固定することもできる。
【０００９】
また宅側装置は、時間的に送られてくる複数の誤り訂正符号付きフレームを時間スロットごとに巡回的に振り分けているので、宅側装置が動作させる誤り訂正符号デコーダの物理的な位置を固定しないで、時間スロットの所定周期Ｌの何番目かで設定してもよい。
宅側装置において、時間スロット設定手段は、前記送信されてくる複数の誤り訂正符号付きフレームを時間スロットごとに振り分ける切換え手段と、振り分けられた各誤り訂正符号付きフレームに対して動作可能な複数の誤り訂正符号デコーダと、前記各誤り訂正符号デコーダに対して、誤り訂正動作を行わせるか、誤り訂正の動作を止めるかを設定することができるデコード制御手段とを備える構成であれば、各誤り訂正符号デコーダのうち、所定のものを動作させ、残りのものを停止することによって、誤り訂正符号デコーダを動作させる時間スロットを設定することができる。
【００１０】
前記宅側装置は、前記局側装置から送信される通信内容若しくはデータ伝送速度に応じて、当該宅側装置が動作させる誤り訂正符号デコーダを設定するようにすれば、処理する容量に応じて、いつも最小限の誤り訂正符号デコーダのみ動作させることができる。
ところで、局側装置と宅側装置との通信の確立前には、局側装置は、当該宅側装置に搭載される誤り訂正符号デコーダの数が分からなければ、誤り訂正符号デコーダの物理的な位置を指定できない。この場合、局側装置は、宅側装置に備えられている誤り訂正符号デコーダの数ｍを記憶する記憶手段をさらに備え、局側装置と宅側装置との通信の確立前に、宅側装置は一部の所定の誤り訂正符号デコーダを動作させ、局側装置は、宅側装置との通信を確立するためのデータを含む誤り訂正符号付きフレーム（ディスカバリフレームという）を、１番目の時間スロットからｍ番目までの時間スロットまで送信し、宅側装置から応答のあった時間スロットを用いて通信を行うシステムであってもよい。
【００１１】
この１番目の時間スロットからｍ番目までの時間スロットまで送信するまでに、宅側装置は、ディスカバリフレームを受信し、誤り訂正し復号できる。このシステムでは、宅側装置は、通信確立前のアイドル時、一部の所定の誤り訂正符号デコーダのみ動かしているだけでよい。したがって、アイドル状態において、通信確立に必要な一部の所定のフレームを通すことができる誤り訂正符号デコーダ以外のＦＥＣデコーダを停止させることで、消費電力を抑えることができる。なお宅側装置が動作させる「一部の所定の誤り訂正符号デコーダ」の数は、ディスカバリフレームのデータを処理できれば十分であるから、宅側装置は誤り訂正符号デコーダを、例えば１個だけ動かしているだけで十分である。
【００１２】
宅側装置は通信システムに複数存在し、宅側装置が動作させる誤り訂正符号デコーダの、局側装置から見たスロットの位置は、宅側装置ごとに統一されていないで分散していることが好ましい。これにより、「すべての宅側装置が同じタイミングのＦＥＣデコーダだけを動かす場合」と比べて下り送信レートの低下を防ぐことが出来る。
また、局側装置は、宅側装置に搭載される誤り訂正符号デコーダの数が分かっていなくても、局側装置と宅側装置との通信の確立前に、宅側装置は時間スロットの所定周期に含まれる一部の誤り訂正符号デコーダを動作させ、局側装置は、宅側装置との通信を確立するためのデータを含む誤り訂正符号付きフレームを、所定周期の中の１番目の時間スロットからＬ番目までの時間スロットにわたって送信することとすれば、宅側装置から応答のあった時間スロットを用いて通信を行うことができる。これによって、当該宅側装置の電力の節約が可能になる。
【００１３】
（２）本発明の局側装置は、宅側装置との通信に用いられ、複数の誤り訂正符号付きフレームを時間スロットごとに分割して宅側装置に送信するものであり、宅側装置に対して、宅側装置が動作させている誤り訂正符号デコーダに対応する時間スロットの誤り訂正符号付きフレームにデータを載せて送信するデータ送信手段を備えるものである。
この局側装置は、宅側装置に、宅側装置が動作させている誤り訂正符号デコーダに対応する時間スロットの誤り訂正符号付きフレームにデータを載せて送信することが出来るので、各フレームに対して並列処理を行う複数の誤り訂正符号デコーダを持つ宅側装置は、必要でない誤り訂正符号デコーダの動作を停止させることができ、宅側装置での消費電力を抑えることができる。
【００１４】
（３）本発明の宅側装置は、局側装置との通信に用いられ、局側装置から送られてくる複数の誤り訂正符号付きフレームを時間スロットごとに分割して受信するものであり、送られてくる複数の誤り訂正符号付きフレームを時間スロットごとに振り分けることのできる切換え手段と、振り分けられた各誤り訂正符号付きフレームに対して並列して動作可能な複数の誤り訂正符号デコーダと、各誤り訂正符号デコーダに対して、誤り訂正動作を行わせるか、誤り訂正の動作を止めるかを個別に設定することができるデコード制御手段とを備え、局側装置から送信される通信内容若しくはデータ伝送速度に応じて、当該宅側装置が動作させる誤り訂正符号デコーダを制限することができるものである。
【００１５】
この宅側装置は、各フレームに対して並列処理を行う複数の誤り訂正符号デコーダのうち、必要でない誤り訂正符号デコーダの動作を停止させることができ、宅側装置側での消費電力を抑えることができる。
（４）本発明の通信方法は、局側装置から、複数の誤り訂正符号付きフレームを時間スロットごとに分割して宅側装置に送信する通信方法であって、請求項１記載の通信システムと実質的に同一の発明に係る通信方法である。
【発明の効果】
【００１６】
以上のように本発明によれば、宅側装置は通信時、送信される通信内容若しくはデータ伝送速度などに応じた数のＦＥＣデコーダを動作させることができるのでので、宅側装置において消費電力を抑えることができる。
また、通信が確立していないアイドル状態においては、局側装置は、宅側装置の一部の所定のＦＥＣデコーダのみを使って短い管理用パケットを処理できるようなタイミングを見つけて、当該管理用パケットを送信することができる。宅側装置は、上記アイドリング状態にて、一つのＦＥＣデコーダのみを常時動作させてパケットの処理を行うことができるので消費電力を抑えることができる。
【図面の簡単な説明】
【００１７】
【図１】局側装置ＯＬＴと複数の宅側装置ＯＮＵとの間を、光カプラを介して光ファイバで接続した光通信システムの構成例を示す概略図である。
【図２】局側装置ＯＬＴから宅側装置ＯＮＵへ伝送される光信号のフレーム構成図である。
【図３】１つのＦＥＣフレームの内部構造を示す図である。
【図４】局側装置ＯＬＴから宅側装置ＯＮＵへの光通信システムの構成を表わすブロック図である。
【図５】局側装置ＯＬＴのＦＥＣ符号部１４の内部構成の一例を示すブロック図である。
【図６】宅側装置ＯＮＵのＦＥＣ復号部２２の内部構成の一例を示すブロック図である。
【図７】局側装置ＯＬＴから宅側装置ＯＮＵへ送られるユーザデータの状態を、通信内容若しくはデータ伝送速度に応じて定義した場合の、各状態間の遷移図である。
【図８】局側装置ＯＬＴが送信するＦＥＣフレーム（図では“ＣＷ”と表示）の列と、ＯＮＵが受信したＦＥＣフレーム列の各ＣＷに対応するＦＥＣデコーダの配列を示す図である。ＣＷ１，２が低レート通信時に稼動するＦＥＣデコーダである。
【図９】宅側装置ＯＮＵのＦＥＣデコーダの物理的な数Ｍとは無関係に「周期Ｌ」に一度、局側装置ＯＬＴが制御フレームを送信する例を示す。
【発明を実施するための形態】
【００１８】
以下、本発明の実施の形態を、添付図面を参照しながら詳細に説明する。
図１は、本発明が適用される光通信システムの構成例を示す概略図である。
この光通信システムは、局側装置ＯＬＴから引かれる１本の光ファイバを、複数の宅側装置ＯＮＵで共有するＰＯＮ（Passive Optical Network）通信システムである。ＰＯＮ光通信システムでは、特に外部からの電源供給を必要とせず入力された信号から受動的に信号を分岐・多重する受動型光分岐器(光カプラ)を介して、一つの局側装置ＯＬＴと複数の宅側装置ＯＮＵが光伝送路で接続される。局側装置ＯＬＴとＮ局の宅側装置ＯＮＵとは、光ファイバＳＭＦ及び光カプラＯＣを介して接続された１対Ｎの伝送を基本としている。
【００１９】
しかし、本願発明はＰＯＮでない光通信システムにも適用できるものである。例えば、局側装置ＯＬＴと各宅側装置ＯＮＵとの間を、それぞれ１本の光ファイバで放射状に結ぶ（Single Star）ネットワーク構成などであってもよい。
以下、ＰＯＮ光通信システムを例にとって説明を進める。
このＰＯＮ光通信システムは、局舎に備えられる局側装置ＯＬＴと複数の加入者に備えられる宅側装置ＯＮＵとが、光ファイバＳＭＦ及び光カプラＯＣを介して接続されている。
【００２０】
宅側装置ＯＮＵは、加入者宅内に設置されるパーソナルコンピュータなど、光ネットワークサービスを享受するための端末を接続するネットワークインタフェースを備えている。
光カプラＯＣは、特に外部からの電源供給を必要とせず入力された信号から受動的に信号を分岐・多重するスターカプラで構成されている。
【００２１】
局側装置ＯＬＴ及び光カプラＯＣ、光カプラＯＣ及び宅側装置ＯＮＵに接続されている光ファイバは、それぞれ１本の光ファイバＳＭＦからなるシングル状態ファイバを用いている。つまり、１台の局側装置ＯＬＴは、１本の幹線光ファイバＳＭＦを通して１台の光カプラＯＣに接続されている。そして、１台の光カプラＯＣは、Ｍ台の宅側装置ＯＮＵと、支線光ファイバＳＭＦで接続されている。よって、１局の局側装置ＯＬＴが送受する信号は、光カプラＯＣによって、Ｍ台の宅側装置ＯＮＵに分配される。なお、光カプラＯＣや宅側装置ＯＮＵの台数は例示であるにすぎない。
【００２２】
本発明の実施形態の通信システムは、前記ＰＯＮ光通信システムに、１０ギガビットイーサネット（10 Gigabit Ethernet）（イーサネット（Ethernet）は、登録商標である）の技術を取り込み、10Ｇｂｐｓのベースバンド速度で光ファイバのアクセス区間通信を実現する10ＧＥ−ＰＯＮ（10 Gigabit Ethernet-Passive Optical Network）方式を採用している。
【００２３】
前記10ＧＥ−ＰＯＮ方式に従えば、局側装置ＯＬＴ及び宅側装置ＯＮＵの相互の通信は、可変長なパケットを単位として行われる。
まず、上位のネットワークから局側装置ＯＬＴに入ってくる下りフレームは、局側装置ＯＬＴにおいて所定のブリッジ処理が行われ、中継されるべき論理リンクが特定される。そして、局側装置ＯＬＴを通して、光信号として光ファイバＳＭＦに送信される。光ファイバＳＭＦに送信された光信号は、光カプラＯＣで分岐され、光カプラＯＣにつながる宅側装置ＯＮＵに送信されるが、当該論理リンクを構成する宅側装置ＯＮＵのみが所定の下りフレームを取り込み、フレームを宅内ネットワークインタフェースに中継する。
【００２４】
一方、上り光信号には、それぞれの宅側装置ＯＮＵからの上りフレームが含まれている。上り光信号は、それぞれの宅側装置ＯＮＵからの光信号どうしが互いに時間的に競合しないように送信される必要がある。そのために、局側装置ＯＬＴは、各宅側装置ＯＮＵに対して上り光信号を送信してもよい期間ウインドウ（以下、単にウインドウという）を割り当て、制御フレームとして通知する。ウインドウを割り当てられた宅側装置ＯＮＵは、その割り当てられたウインドウに上り光信号を送信する。この上り光信号を「バースト光信号」という。バースト光信号は、各宅側装置ＯＮＵから送信され、10Ｇｂｐｓのベースバンド信号で発光状態を変化させた、有限時間の光信号列である。
【００２５】
したがって、各宅側装置ＯＮＵ間の上り光信号の競合は回避される。各宅側装置ＯＮＵは、あるウインドウが与えられたとき、そのウインドウに収まる限りフレームを連続して送信してよい。
そして、局側装置ＯＬＴは、各宅側装置ＯＮＵからの一連のフレーム信号を含んだバースト光信号を受信することができる。
【００２６】
なお、局側装置ＯＬＴと宅側装置ＯＮＵが受信する光信号波形や光信号強度は、例えば、局側装置ＯＬＴと宅側装置ＯＮＵの発光素子の特性や、光ファイバＳＭＦの長さなどの、光伝送路の特性によって異なる。そこで、局側装置ＯＬＴと宅側装置ＯＮＵは、受信光信号に所定の波形整形処理を行った後、復元した有意なフレーム列をネットワークに送信する。
【００２７】
図２は、下り光信号のフォーマットを示す図である。図３は、ＦＥＣフレームの構造を示す図である。
この光信号は、連続したＦＥＣ（誤り訂正符号付き）フレームにより構成される。ＦＥＣフレームは、送りたい一定長のＦＥＣデータにＦＥＣ用のパリティデータが付加されて構成されるものである。このＦＥＣフレームは、誤り訂正符号の符号化処理、復号化処理の一単位となる。このＦＥＣフレームが送られる期間を「時間スロット」という。
【００２８】
ＦＥＣフレームは、ＦＥＣデータ部と、ＦＥＣパリティ部とから構成されており、ＦＥＣデータ部にはスクランブルされたデータが格納され、ＦＥＣパリティ部にはＦＥＣデータ部から計算した誤り訂正用のパリティデータが格納される。ＦＥＣデータ部、ＦＥＣパリティ部に含まれるデータの単位を「ブロック」又は「ワード」という。本発明の実施形態では、データの伝送に64B/66B符号を用いているので、「６６Ｂブロック」と言う。６６Ｂブロックは６６ビットからなり、その中の６４ビット（８バイト）は送信データであり、2ビットは同期をとるための同期ヘッダＳＨとなる。
【００２９】
ＦＥＣデータ部の同期ヘッダＳＨは、符号”01”若しくは”10”で構成され、ＦＥＣパリティ部の同期ヘッダＳＨは、符号”11”若しくは”00”で構成される。これらの同期ヘッダのパターンの一致場所を探すことにより、ＦＥＣフレームの同期をとる。
ＦＥＣデータ部には、64B/66B変換部１２（図４参照）から送られてくる６６Ｂブロックが複数個、例えば２７個格納される。ＦＥＣパリティ部は、パケットデータを格納する複数の６６Ｂブロックから構成され、これもＦＥＣデータ部と同様、同期ヘッダＳＨが2ビット付加された構成になる。このＦＥＣパリティ部には、６６Ｂブロックが複数個、例えば４個格納される。
【００３０】
ここでパケットの概念について説明する。パケットとは、光信号に入っているデータの一単位のことである。１つのパケットの長さは、６４バイトから１５２２バイトまでと可変長になっている。
一方、前記ＦＥＣフレームは、パケットから構成されるバイト列を、一定バイトごとに区切ったものである。すなわち、ＦＥＣフレームは、パケットの始まりとか終わりとかを意識することなく、送信データ列を一定の時間スロットごとに、ぶつ切りにしたフレームである。
【００３１】
図４は、64B/66B符号を使った、本発明の局側装置ＯＬＴから宅側装置ＯＮＵへの、局側装置ＯＬＴの光送信部の内部構成と宅側装置ＯＮＵの光受信部の内部構成とを簡略化して表したブロック図である。宅側装置ＯＮＵは１台のみ描いている。
局側装置ＯＬＴの光送信部は、上位レイヤー（ＭＡＣ層）のユーザデータを扱うＭＡＣ送信部１１と、ＭＡＣ送信部１１から６４ビット単位のデータを受ける64B/66B変換部１２とを備える。64B/66B変換部１２は、６４ビット単位のデータごとに、２ビットの同期ヘッダＳＨを付けて６６ビットに変換し（前述したとおり、これをブロック又はワードという）、スクランブラ部１３に送る。スクランブラ部１３は、６４ビットのデータの部分に対してスクランブルを掛ける。そしてこのスクランブラ部１３から、スクランブルされた６４ビットのデータと２ビットの同期ヘッダＳＨとがＦＥＣ符号部１４に送られる。これらの６４ビットのデータと同期ヘッダＳＨとで、前記ＦＥＣデータ部（図３）が構成される。ＦＥＣ符号部１４はＦＥＣパリティを計算し、ＦＥＣデータ部に前記ＦＥＣパリティ部（図３）を付加して、ＦＥＣフレームを生成し、電気・光変換部１５(E/O変換)へ送る。電気・光変換部１５では、電気信号を光信号に変換し光ファイバへ送出する。
【００３２】
この光ファイバの伝送路上で、光の減衰やノイズの印加により、電気信号にビット誤りが発生することがある。
宅側装置ＯＮＵの光受信部は、光ファイバから入ってきた光信号（ビット誤りを含む可能性がある）を光・電気変換部２１(O/E変換)によって電気信号に変換し、ＦＥＣ復号部２２に送る。
【００３３】
ＦＥＣ復号部２２では、ＦＥＣフレームのＦＥＣデータ部とパリティ部の同期ヘッダＳＨを検出してＦＥＣフレームの同期をとる処理を行う。同期をとった後は、ＦＥＣフレームごとに、ＦＥＣパリティを用いて受信データの誤り訂正処理を行う。誤り訂正処理の内容は、誤り位置（複数のシンボルどの位置に誤りがあるか）及び大きさ（訂正値）の計算と、誤ったシンボルの訂正処理である。誤り訂正された受信データは、デスクランブラ部２３でデスクランブルされる。その後、66B/64B変換部２４で、64B/66Bのデコード処理が行われ、２ビットの同期ヘッダＳＨが取り除かれ、MAC受信部２５を経由し、イーサネットフレームとして、端末装置へ中継処理される。
【００３４】
ここで局側装置ＯＬＴから宅側装置ＯＮＵへ送られるユーザデータを、通信内容若しくはデータ伝送速度に応じて定義する。
「アイドル状態」とは、ユーザデータを伝送していない状態をいう。この状態では局側装置ＯＬＴと宅側装置ＯＮＵとはMPCPリンクアップしている場合もあり、MPCPリンクアップしていない場合もある。いずれの場合でも、ユーザデータを伝送していないのでアイドル状態である。
【００３５】
「低レート通信状態」とは、通信は成立しているが、情報量の少ない電話の音声情報などを伝送する状態をいう。
「通常状態」とは、情報量の多い画像情報などを伝送する状態をいう。
図５は、局側装置ＯＬＴのＦＥＣ符号部１４の内部構成の一例を示すブロック図である。
【００３６】
ＦＥＣ符号部１４は、ユーザデータの通信内容（宛先の宅側装置ＯＮＵの特定、アイドル／低レート通信／通常の区別）を判別する通信内容判別部３１、制御フレーム（64ByteのMPCPを含むフレーム）を生成する制御フレーム生成部３２、各宅側装置ＯＮＵが搭載しているＦＥＣデコーダ数の情報（初めからわかっている場合と、各宅側装置ＯＮＵから通知を受ける場合がある）を登録するカウンタ管理部３３、各宅側装置ＯＮＵに送信する順番を決めるデータ送信スケジューラ３４、ユーザデータを一時的に格納するパケット用バッファ３５、シリアルに入ってくるフレームを各ＦＥＣエンコーダに巡回的に振り分ける振分けスイッチ回路３６、並列に配置されたｎ個のＦＥＣエンコーダ、振り分けられたフレームを結合する結合スイッチ回路３８を有する。
【００３７】
制御フレーム生成部３２は、例えばアイドル状態ならば１つのＦＥＣフレームにＭＰＣＰフレームと制御フレームを設定する。低レート通信であれば２つのＦＥＣフレームを用いて、ＭＰＣＰフレームと制御フレームとデータフレームとを設定する。通常通信であれば全てのフレームにＭＰＣＰフレームと制御フレームとデータフレームとを設定する。
また、制御フレーム生成部３２は、カウンタ管理部３３に対し「基準番号」（後述）を設定する。
【００３８】
カウンタ管理部３３では、振分けスイッチ回路３６がＦＥＣエンコーダ切換え処理ごとに送ってくるカウントアップの信号により、各カウンタ値を、送信先の宅側装置ＯＮＵ別にそれぞれインクリメントする。
図６は、宅側装置ＯＮＵのＦＥＣ復号部２２の内部構成の一例を示すブロック図である。
【００３９】
ＦＥＣ復号部２２は、シリアルな状態でつながって入力されるＦＥＣフレームを１つ１つのＦＥＣフレームごとに巡回的に振り分ける振分けスイッチ回路４１と、互いに並列に接続され、それぞれＦＥＣフレームを誤り訂正する複数ｍ個のＦＥＣデコーダ４２と、振り分けられたフレームを結合する結合スイッチ回路４３とを有する。
スイッチ回路４１の接点数はＦＥＣデコーダ４２の数と合致している。例えばＦＥＣデコーダ４２が８個用意されているなら、スイッチ回路４１の接点数も“８”である。この切換えにより、シリアルな状態でつながって供給されるＦＥＣフレームを、１個ずつＦＥＣデコーダ４２に供給し、並列処理を行うことができる。
【００４０】
ここで数値的な考察をする。例えば図３に示すように、１個のＦＥＣフレームが、２７ワードのデータと４ワードのパリティで構成されているものとする。図３に示すように、１ワードには８バイトのデータが含まれている。
ＦＥＣデコーダ４２の容量は、１個のＦＥＣフレームを格納できる容量とする。１個のＦＥＣフレームには、８（バイト）＊２７（ワード）＝２１６Byteのデータが含まれているとすれば、ＦＥＣデコーダ４２の容量を２１６Byte以上とする。
【００４１】
ここで１ワードが１クロックに対応するものとする。すると宅側装置ＯＮＵでは３１クロック毎に１つのＦＥＣフレームを受信することになる。この場合、例えば一つ目のＦＥＣデコーダにデータが入力される時刻を０(clk)とすると表１のように各ＦＥＣデコーダにデータが入力される時刻がわかる。
【００４２】
【表１】
2011015278.tif 000003
【００４３】
ＦＥＣデコーダ４２が156.25MHzのクロックで動作する場合、１ワードには８バイトのデータが含まれていることから、１つのＦＥＣデコーダ４２の誤り訂正の処理能力は８＊156.25＝1.25Gbpsとなる。したがって８個のＦＥＣデコーダ４２を並列に動作させれば、8＊1.25＝10Gbpsの誤り訂正処理を実現することができる。換言すれば、１個のＦＥＣフレームに格納できるデータを送信する場合、すなわち前述した数値例で216Byte以下のデータを送信する場合、宅側装置ＯＮＵは、ある一つのＦＥＣデコーダ４２さえ動いていればデータを復号化できることになる。例えばアイドル状態においては、宅側装置ＯＮＵは、６４ByteのMPCPフレームの受信を待っているだけの状態なので、ＦＥＣデコーダを１個起動しておくだけで十分である。
【００４４】
図６に戻り、ＦＥＣ復号部２２は、ＦＥＣデコード制御部４４をさらに備える。
ＦＥＣデコード制御部４４は、局側装置ＯＬＴから送られてくるアイドル／低レート通信／通常通信の判定結果に基づき、各ＦＥＣデコーダ４２に対して、誤り訂正処理の有効／停止の設定切り替え信号を出力する。
各ＦＥＣデコーダ４２は、誤り訂正処理の有効／停止の設定切り替え信号を受けると、もしその信号が「有効」の指示であれば、誤り訂正処理を行い、その信号が「停止」の指示であれば、誤り訂正処理を行わない。
【００４５】
「停止」の指示をするには、各ＦＥＣデコーダ４２のクロック端子に供給されるクロックパルス信号の供給を停止するか、または各ＦＥＣデコーダ４２のリセット端子にリセット信号を供給すればよい。これによって、ＦＥＣデコーダ４２全体の中から制限されたデコーダのみ動いているようになり、電力の節約ができる。
ＦＥＣデコーダ４２は、ＦＥＣデコード制御部４４からの誤り訂正処理の有効／停止の設定切り替え信号を受けて、誤り訂正処理が「停止」に設定された場合には、その誤り訂正処理動作を止め、ＦＥＣデコーダに内蔵されるデータ保持回路を使って一定時間の遅延処理のみ実施させる。
【００４６】
このようにして、「停止」に設定されたＦＥＣデコーダ４２で所定時間保持したＦＥＣフレームをＦＥＣデコーダ４２から出力するので、結合スイッチ回路４３で結合されたシリアルデータにおいて各ＦＥＣフレームの配列・順序・遅延は保持され、リンク状態を保持することができる。
本発明の実施の形態では、局側装置ＯＬＴは、宅側装置ＯＮＵの特定のＦＥＣデコーダのみを動作させるので、局側装置ＯＬＴは宅側装置ＯＮＵのＦＥＣデコーダの数を予め知っている必要がある。
【００４７】
そのためには、（１）宅側装置ＯＮＵのＦＥＣデコーダの数がシステム上で予め決められていて、その数が局側装置ＯＬＴのメモリの中に設定されている場合と、（２）局側装置ＯＬＴにとって宅側装置ＯＮＵのＦＥＣデコーダ数が不明である場合とがある。後者（２）の場合、局側装置ＯＬＴは宅側装置ＯＮＵとの通信を確立させて、各宅側装置ＯＮＵにＦＥＣデコーダ数を申告させる必要がある。
【００４８】
まず、宅側装置ＯＮＵのＦＥＣデコーダの数がシステム上で予め決められている場合の通信確立手順とその後の通信手順を説明する。
この手順では、局側装置ＯＬＴは、あらかじめ規定されている宅側装置ＯＮＵごとのＦＥＣデコーダ数ｍを、カウンタ管理部３３に登録している。
局側装置ＯＬＴは、振分けスイッチ回路３６をサイクリックに切換えることにより、各エンコーダ３７を切換える。
【００４９】
局側装置ＯＬＴは、カウンタ管理部３３に対し、「基準番号」を最初ａ番目（例えばａ＝１）に設定する。「基準番号」とは、複数あるエンコーダのうち何番目のエンコーダに切換えたときに、ディスカバリフレームを載せて、宅側装置ＯＮＵに送信するか、のタイミングを決めるその番号をいう。
局側装置ＯＬＴの制御フレーム生成部３２は、その宅側装置ＯＮＵ宛のディスカバリフレームを生成し、パケット用バッファ３５に記憶させる。
【００５０】
カウンタ管理部３３では、振分けスイッチ回路３６が切換えごとに送ってくるカウントアップの信号により、各宅側装置ＯＮＵ宛のフレームのカウンタ値をインクリメントする。この例で言えば、ある宅側装置ＯＮＵのＦＥＣデコーダ数はｍ個であるとすれば、１からｍまで時間スロットのカウントを行う。
スケジューラ部３４では、カウンタ値が「基準番号」すなわちａ番目になれば、パケット用バッファ３５の宅側装置ＯＮＵ１宛のディスカバリフレームを送信する。そして、ディスカバリフレームを送信した後、その送信時のＦＥＣエンコーダ３７、すなわち宅側装置ＯＮＵに対してどの時間スロットのＦＥＣフレームで送信したかを記憶する。
【００５１】
宅側装置ＯＮＵは、通信確立していないアイドル状態においては64ByteのMPCPフレームの受信待ち状態なので、ｍ個のＦＥＣデコーダ４２のうち、任意の１個だけ起動しておく。すなわちその一個のＦＥＣデコーダのみ、誤り訂正処理を有効とし、他のＦＥＣデコーダ４２には、誤り訂正処理の停止の設定信号を送り、誤り訂正動作を止める。
宅側装置ＯＮＵは、ｍ個のＦＥＣデコーダ４２のうち起動しておくＦＥＣデコーダをどれにするか固定していない。したがって一番目とは限らない（一番目であってもよい）。
【００５２】
「固定していない」理由は、もしアイドル状態において各宅側装置ＯＮＵが全て同じＦＥＣデコーダ、例えば一番目のＦＥＣデコーダしか動作させていない場合、局側装置ＯＬＴから送信できるタイミングが一番目に限られてしまう。すると、局側装置ＯＬＴから送信できるタイミングが、１／(宅側装置ＯＮＵの数＊Ｍ)となってしまい、ＭＰＣＰフレーム、制御フレーム、データフレームを送信できる速度がそれだけ低下してしまうからである。
【００５３】
そこで各宅側装置ＯＮＵは、動作させるＦＥＣデコーダの番号が分散するように、例えば乱数を用いて、誤り訂正処理のために稼動しているＦＥＣデコーダの指定をすることが好ましい。
宅側装置ＯＮＵは、ＦＥＣデコード制御部４４にてフレーム期間ごとに振分けスイッチ回路４１を1〜ｍまで切換えながらディスカバリフレームの受信を待つ。宅側装置ＯＮＵのＦＥＣデコード制御部４４は、ＦＥＣフレームごとにカウンタアップするカウンタを持っている。
【００５４】
稼動しているＦＥＣデコーダ４２がディスカバリフレームを受信すると、ディスカバリフレームの復号処理を行う。宅側装置ＯＮＵは、ＦＥＣデコーダ３２においてこのディスカバリフレームを受信処理して、上りリンクを用いて応答する。
局側装置ＯＬＴは、宅側装置ＯＮＵから応答があれば、その基準番号に該当する時間スロットのＦＥＣフレームが有効であることが分かるので、そのＦＥＣフレームの時間スロットを例えば“ａ“と確定させて、カウンタ管理部３３に記憶する。
【００５５】
もしディスカバリフレームを送信しても、反応がなければ、次は基準番号”ａ＋１”の時間スロットでディスカバリフレームを送信し、応答を待つという処理を、ｍ回まで繰り返す。
このようにして、局側装置ＯＬＴは、宅側装置ＯＮＵにおいて稼動しているＦＥＣデコーダを特定することができ、ディスカバリフレームを送信することができる。
【００５６】
ここで図７は、局側装置ＯＬＴにおける各状態間の遷移図を示す。局側装置ＯＬＴは、音声データなど情報量の少ないデータを送るときにはアイドル状態から低レート状態へ切換える（ｉ）。画像データなど情報量の多いデータを送るときにはアイドル状態から通常状態へ切換える（ｉｉ）。低レート状態で画像データなど情報量の多いデータを送るときには通常状態へ切換える（ｉｉｉ）。低レート状態で一定期間、データの送信がないときは、アイドル状態へ切換える（ｉｖ）。通常状態で一定期間、データの送信がないときは、アイドル状態へ切換える（ｖ）。通常状態で音声データなど情報量の少ないデータを送るときには低レート状態へ切換える（ｖｉ）。
【００５７】
宅側装置ＯＮＵから応答があり、制御リンクが確立した後は、局側装置ＯＬＴは、ユーザデータを送信する場合、データ伝送速度に応じて低レート通信又は通常通信を決定する。そしてカウンタ管理部３３に決定した通信状態を設定し、宅側装置ＯＮＵに対しても、その状態設定を要求する。
局側装置ＯＬＴのスケジューラ３４は、低レート/通常の中から決定された状態に応じて、必要なフレームのみにデータを載せて、送信する。
【００５８】
宅側装置ＯＮＵの制御部は、局側装置ＯＬＴからの制御フレームで低レート/通常の状態切り替えが指定されれば、それに応じて自局の状態を切り替える。
（ａ）低レート状態であれば、局側装置ＯＬＴは、カウンタが例えば１と２の値をとる時間スロットでエンコーダを動作させる。１番目のエンコーダは制御フレームの処理のためであり、２番目のエンコーダはデータ処理のためである。例えば図８に示すように、スケジューラ部では、カウンタ値が１番目とその次の２番目のタイミングにてフレームを送信する。宅側装置ＯＮＵは、データを受信したときに誤り訂正不要なＦＥＣデコーダ（上の例で言えば１番目と２番目以外）は動作させない。宅側装置ＯＮＵの動作していないＦＥＣデコーダでは、誤り訂正を行ったのと同じタイミングでデータを後段に出力する。
【００５９】
（ｂ）状態が通常通信状態であれば、宅側装置ＯＮＵは、全てのＦＥＣデコーダを動作させる。
宅側装置ＯＮＵは、（ａ）や（ｂ）の状態において、下りのデータフレームを一定時間受信しなかったら、アイドリング状態に入ることができると判断し、所定のＦＥＣデコーダ以外のＦＥＣデコーダを止め、局側装置ＯＬＴに通知する。これにより局側装置ＯＬＴ、宅側装置ＯＮＵはアイドリング状態に入る。局側装置ＯＬＴは、新たに通信を確立したいときは、ディスカバリフレームを、基準番号を繰り下げながら送信し応答を待つという、前述した処理を再度行う。
【００６０】
今までの動作例では、局側装置ＯＬＴは、ｍサイクルに一度、制御フレームを送信するという動作をしていたが、ｍ以外のサイクルに一度、送信するという動作をすることも可能である。
図８の例であれば宅側装置ＯＮＵのＦＥＣデコーダの数ｍが８であり、８回に一度制御フレームを送信していたが、その整数倍である１６回に一度、２４回に一度などに制御フレームを送信しても良い。
【００６１】
また、制御フレームを送信する周期は、物理的なＦＥＣデコーダの数ｍの整数倍とも限らない。図９は、宅側装置ＯＮＵのＦＥＣデコーダの物理的な数ｍとは無関係に「任意の周期Ｌ」に一度、制御フレームを送信する例を示す。ただし局側装置ＯＬＴ、宅側装置ＯＮＵともに、「周期Ｌ」を知っている必要がある。この図９の例では、局側装置ＯＬＴは、５フレームに一度、制御フレームを送信している。
【００６２】
宅側装置ＯＮＵのＦＥＣデコード制御部４４は、局側装置ＯＬＴからの制御フレームでアイドル/低レート/通常と３種類の状態切り替えが指定されていれば、それに応じて切り替える。局側装置ＯＬＴのスケジューラ部では、アイドル/低レート/通常と３種類の状態に応じて、必要なフレームのみにデータを載せて、送信する。
（ｃ）アイドル状態であれば、局側装置ＯＬＴは、宅側装置ＯＮＵに、Ｌの倍数（これをｘＬと書く。ｘは１以上の整数）番目以外のＦＥＣデコーダに対し消費電力がかかる誤り訂正を行わないように制御信号を送信する。ｘＬ番目に該当するＦＥＣデコーダは、Ｌ＝ｍという前述した実施例を除き、物理的には固定されない。宅側装置ＯＮＵは、稼動する１個のＦＥＣデコーダ以外のＦＥＣデコーダに対して消費電力がかかる誤り訂正を行わせない。宅側装置ＯＮＵのデコード動作をしないＦＥＣデコーダは、前述したのと同様、誤り訂正を行ったのとおなじタイミングでデータを後段に出力する。
【００６３】
以下、このアイドル状態において、制御フレームを送信して通信を確立する例を説明する。局側装置ＯＬＴは、アイドル時、カウンタ管理部３３に対し、「基準番号」をＬ回のうち最初からａ番目に設定する。例えばａ＝１である。
スケジューラ部では、各Ｌ回のうちａ番目の時間スロットになればデータを送信する。それとともに、カウンタ管理部３３では、振分けスイッチ回路３６が切換えごとに送ってくるカウントアップの信号により、各宅側装置ＯＮＵに対するカウンタ値をインクリメントする。このように１からＬまでの周期で時間スロットのカウントが行われる。そして、ディスカバリフレームを送信するときに、そのときどのＦＥＣフレームで送信したかを記憶する。
【００６４】
宅側装置ＯＮＵは、ｍ個のＦＥＣデコーダ４２をＬごとに区切って（Ｌ＝５の場合図９参照）、Ｌ個のＦＥＣデコーダ４２のうち１個のＦＥＣデコーダのみその誤り訂正処理を有効とする。宅側装置ＯＮＵは、ＦＥＣデコード制御部４４にて振分けスイッチ回路４１を切換えながらディスカバリフレームの受信を待つ。
稼動しているＦＥＣデコーダ４２がディスカバリフレームを受信すると、ディスカバリフレームの復号処理を行い、上りリンクを用いて応答する。
【００６５】
局側装置ＯＬＴは、宅側装置ＯＮＵ応答があれば、その応答時に該当するＦＥＣフレームが有効であるので、その宅側装置ＯＮＵのＦＥＣデコーダの時間スロットをヒットしたタイミングに確定させて、記憶する。
もしディスカバリフレームを送信しても、反応がなければ、次の時間スロット“ａ＋１”でディスカバリフレームを送信し、応答を待つという処理を、Ｌ番目まで繰り返す。
【００６６】
（ｄ）通信状態が低レート状態であれば、局側装置ＯＬＴは、宅側装置ＯＮＵに、カウンタが例えばｘＬ回目と（ｘＬ＋１）回目の値をとる時にＦＥＣデコーダを動作させる。例えばＬ＝５の場合、５番目と６番目、１０番目と１１番目などである（図９参照）。この場合も、ｘＬ回目と（ｘＬ＋１）回目に該当するＦＥＣデコーダは、原則として物理的に固定されない。宅側装置ＯＮＵは、データを受信したときに誤り訂正不要なＦＥＣデコーダは動かさない。宅側装置ＯＮＵの動作していないＦＥＣデコーダでは、誤り訂正を行ったのと同じタイミングで後段に出力する。
【００６７】
（ｅ）通常通信状態であれば、宅側装置ＯＮＵは、全てのＦＥＣデコーダを動作させる。
以上のようにこの実施例では、宅側装置ＯＮＵの物理的なＦＥＣデコーダ数にかかわらず、データを送る間隔Ｌを増やしたり・減らしたりできるため、宅側装置ＯＮＵごとに数の異なるＦＥＣデコーダを持つシステムにも好適である。
【００６８】
次に宅側装置ＯＮＵは局側装置ＯＬＴに対して自局のＦＥＣデコーダ数を通知する場合の動作を説明する。最初のシステム起動時又は決められた時間などに、宅側装置ＯＮＵは全ＦＥＣデコーダを動作させ、局側装置ＯＬＴはディスカバリフレームを送信し、宅側装置ＯＮＵとの通信を確立させる。その後、当該宅側装置ＯＮＵは局側装置ＯＬＴに対して自局のＦＥＣデコーダ数を通知する。局側装置ＯＬＴは、宅側装置ＯＮＵからの通知により、カウンタ管理部３３に当該宅側装置ＯＮＵのＦＥＣデコーダ数を登録する。
【００６９】
局側装置ＯＬＴのスケジューラ３４は、通信内容やデータ伝送速度に応じて低レート/通常と3種類の状態のいずれかを設定し、その状態に応じて宅側装置ＯＮＵで動作させるＦＥＣデコーダを指定し、必要なフレームのみにデータを載せて送信する。
その後の手順は前述した（ａ），（ｂ）と同様である。
前記動作例（ａ），（ｂ）では、局側装置ＯＬＴは、宅側装置ＯＮＵのＦＥＣデコーダの数ｍの通知を受けて、ｍサイクルに一度、制御フレームを送信するという動作をしていたが、ｍとは限らない数であるＬサイクルに一度、制御フレームを送信するという動作も可能である。その後の手順は前述した（ｃ）〜（ｅ）と同様である。
【００７０】
以上のように、宅側装置は、送信される通信内容又は送信するデータ伝送速度などに応じた数のＦＥＣデコーダを動作させることができるので、宅側装置において消費電力を抑えることができる。
以上で、本発明の実施の形態を説明したが、本発明の実施は、前記の形態に限定されるものではない。例えば、局側装置ＯＬＴは、データ伝送速度に応じてアイドル/低レート/通常と３種類の状態のいずれかを設定していたが、状態の数は３種類とは限らない。２種類あるいはもっと細かく４以上の種類を規定しても良い。その他、本発明の範囲内で種々の変更を施すことが可能である。
【符号の説明】
【００７１】
１１  ＭＡＣ送信部
１２  64B/66B変換部
１３  スクランブラ部
１４  ＦＥＣ符号部
１５  電気・光変換部
２１  光・電気変換部
２２  ＦＥＣ復号部
２３  デスクランブラ部
２４  66B/64B変換部
２５  MAC受信部
３１  通信内容判別部
３２  制御フレーム生成部
３３  カウンタ管理部
３４  データ送信スケジューラ
３５  パケット用バッファ
３６  振分けスイッチ回路
３７  ＦＥＣエンコーダ
３８  結合スイッチ回路
４１  振分けスイッチ回路
４２  ＦＥＣデコーダ
４３  結合スイッチ回路
４４  ＦＥＣデコード制御部
【図１】
2011015278.tif 000004
【図２】
2011015278.tif 000005
【図３】
2011015278.tif 000006
【図４】
2011015278.tif 000007
【図５】
2011015278.tif 000008
【図６】
2011015278.tif 000009
【図７】
2011015278.tif 000010
【図８】
2011015278.tif 000011
【図９】
2011015278.tif 000012